(57)【要約】【課題】複数段の排出ビンを備えた記録装置と、複数の端末装置（パソコン）とを通信接続し、該端末装置での印刷ジョブの実行により、該記録装置で印刷が行われて、その印刷物が排出ビン上に排出されるネットワークプリンタにおいて、該印刷物がどの段の排出ビンに排出されているのかを容易に探し当てることができる記録装置を提供することを課題とする。【解決手段】前記排出ビン４１・４２・４３にそれぞれスイッチボタン８１・８２・８３を設けるとともに、前記記録装置を備えた複合機１本体に表示部２０を設け、印刷物が堆積されている排出ビン４１、４２又は４３のスイッチボタン８１、８２又は８３を操作することにより、該表示部２０に印刷元の端末装置を特定する情報（ホスト名とＰＣ名）が表示される。【選択図】　図６
2004009505.tif 000002
【特許請求の範囲】
【請求項１】
複数段の排出ビンを備えた記録装置と、複数の端末装置とを通信接続し、該端末装置での印刷ジョブの実行により、該記録装置で印刷が行われて、その印刷物が排出ビン上に排出されるネットワークプリンタにおいて、
前記排出ビンにスイッチを設けるとともに、前記記録装置本体に表示部を設け、印刷物が堆積されている排出ビンのスイッチを操作することにより、該表示部に印刷元の端末装置を特定する情報が表示されることを特徴とする記録装置。
【請求項２】
前記スイッチに自照手段を設けるとともに、前記排出ビンに印刷物の有無を検出するセンサを設け、該センサで該排出ビン上の印刷物の存在を検出することにより、該スイッチを自照させることを特徴とする請求項１に記載の記録装置。
【発明の詳細な説明】
【０００１】
【発明の属する技術分野】
本発明は、複数の端末装置と通信接続したネットワークプリンタ（記録装置）の技術に関する。
【０００２】
【従来の技術】
従来より、複数段の排出ビンを備えた記録装置と、複数の端末装置とを通信接続して、該端末装置での印刷ジョブの実行により、該記録装置で印刷が行われた後、その印刷物が複数の排出ビンの内の何れかの排出ビンに振り分けられて排出されるネットワークプリンタが知られている。
この構成では、端末装置毎にプリンタを設ける必要がなくなり、オフィス内の省スペース化を図ることができる。
【０００３】
【発明が解決しようとする課題】
ところが、上記構成では、各排出ビン上に堆積されている印刷物は、どの端末装置から印刷されたものかが判らず、印刷した本人が記憶等を手がかりに、印刷した内容と照らし合わせながら、一段一段排出ビン上の印刷物を確認する必要があった。
これでは手間であり、そこで、この手間を省くべく、排出ビンに液晶表示部を備えた記録装置が発明されている。排出ビンは上下に複数段設けられていることから、液晶表示部は各排出ビンの側部に配置されている。
【０００４】
例えば、端末装置で印刷ジョブが実行されると、記録装置で印刷が行われた後、その印刷物が複数段の排出ビンの内の何れか段の排出ビンに振り分けられて排出されるとともに、該印刷物が排出された排出ビンの液晶表示部には該印刷物のファイルデータ等が表示される。これにより、印刷した本人は、排出ビンの液晶表示部を確認するだけで、自分の印刷物がどの段の排出ビンに排出されているのかを容易に探し当てることができる。
【０００５】
この発明により、確かに印刷物を容易に探し当てることができるようになったが、通常、排出ビンは腰の高さ位置付近に配置されることから、液晶表示部で確認を行う場合に、排出ビンの側方から覗き込むように、屈み込んで見なければならないという、面倒臭さが残る。
また、液晶表示部は排出ビンの厚さに合わせて形成されているため、該液晶表示部に表示される文字も比較的小さく、目の悪い人にとっては、さらに屈み込んだ姿勢で、該液晶表示部の近くで表示を確認する必要があった。
加えて、液晶表示部は排出ビン毎に設けられているので、コスト的にも不利である。
そこで、本発明では、これらの問題点を改善する記録装置を提供することを課題とする。
【０００６】
【課題を解決するための手段】
本発明の解決しようとする課題は以上の如くであり、次にこの課題を解決するための手段を説明する。
まず、請求項１に記載のように、複数段の排出ビンを備えた記録装置と、複数の端末装置とを通信接続し、該端末装置での印刷ジョブの実行により、該記録装置で印刷が行われて、その印刷物が排出ビン上に排出されるネットワークプリンタにおいて、前記排出ビンにスイッチを設けるとともに、前記記録装置本体に表示部を設け、印刷物が堆積されている排出ビンのスイッチを操作することにより、該表示部に印刷元の端末装置を特定する情報が表示される。
【０００７】
また、請求項２に記載のように、前記スイッチに自照手段を設けるとともに、前記排出ビンに印刷物の有無を検出するセンサを設け、該センサで該排出ビン上の印刷物の存在を検出することにより、該スイッチを自照させる。
【０００８】
【発明の実施の形態】
これより、本発明の一実施例について、記録装置を備えたコピー・ファクシミリ複合機１を参照しながら説明する。
【０００９】
図１は記録装置を備えたコピー・ファクシミリ複合機１と、複数のパーソナル・コンピュータ（パソコン）８Ａ・８Ｂ・８Ｃ・・・とを通信接続したローカルエリアネットワーク（ＬＡＮ）システムの構成図であり、複合機１はネットワークプリンタとして構成されて、各パソコン８Ａ・８Ｂ・８Ｃ・・・とＬＡＮケーブル９を介して接続されている。この構成では、端末装置のパソコン８Ａ・８Ｂ・８Ｃ・・・毎にプリンタを設ける必要がなくなり、オフィス内の省スペース化を図ることができる。
【００１０】
各パソコン８Ａ・８Ｂ・８Ｃ・・・はそれぞれ自機の固有の名称を示すホスト名と、ユーザーにより登録されるパソコン名（ＰＣ名）とを有し、該ホスト名とＰＣ名とによりＬＡＮ上のパソコン８Ａ・８Ｂ・８Ｃ・・・が識別され、各パソコン８Ａ・８Ｂ・８Ｃ・・・で印刷ジョブが実行されると、印刷データとともに該パソコン８Ａ・８Ｂ・８Ｃ・・・のホスト名とＰＣ名とが複合機１へ出力され、後述する流れに沿って印刷が行われる。
【００１１】
以下では、各パソコン８Ａ・８Ｂ・８Ｃ・・・からの印刷データは直接複合機１へ出力される構成であるが、該パソコン８Ａ・８Ｂ・８Ｃ・・・のうち１台をサーバとして、各パソコンからのデータは該サーバを経由して複合機１へ出力される構成であってもよい。
【００１２】
次に、複合機１について概略説明する。
複合機１の本体は、給紙カセット５１・５１を備えた給紙部５上に載置固定されており、該本体内に、画像読取部３と、画像形成装置としての画像記録部４が上下に配置されている。画像記録部４の一側方における、複合機１本体の一側面からは複数の排出ビン４１・４２・４３が斜上方へ向けて延出されている。本実施例では、排出ビン４１・４２・４３は上下に３段配置されているが、その配置数は少なくとも２段以上配置されていれば特に限定はしない。
【００１３】
また、複合機１の本体上部からは手前方向に操作部２が延設されており、図２に示すように、該操作部２上に複合機１の動作状態等を表示する表示部２０や、各種操作キーが配置されている。そして、本体上方にはプラテンカバー７が開閉自在に設けられ、該プラテンカバー７の一側部には自動原稿搬送装置（ＡＤＦ）６が付設されている。
【００１４】
画像記録部４は、ＬＥＤヘッド等による光書込手段、現像ユニット、感光体ユニット、及び定着ユニット４５（図３参照）を備え、給紙カセット５１から取り込まれた用紙に画情報を転写し、定着が行われる。定着後、該用紙は印刷物として前記３段の排出ビン４１・４２・４３のうち、何れか一段に振り分けられて排出される。
【００１５】
図３は画像記録部４の排出部４０を示し、複合機１本体の一側面には上下３段に排出口７１・７２・７３が形成されている。用紙の搬送経路６０は、前記定着ユニット４５の下流側で分岐し、各排出口７１・７２・７３へ向けて配設されている。ここで、定着ユニット４５から最上段の第１排出口７１へ向かう経路を第１搬送経路６１、該第１搬送経路６１から分岐して中段の第２排出口７２へ向かう経路を第２搬送経路６２、該第２搬送経路６２から分岐して最下段の第３排出口７３へ向かう経路を第３搬送経路６３とする。該第１搬送経路６１から該第２搬送経路６２への分岐部には第１振分部材６４が設けられ、該第２搬送経路６２から該第３搬送経路６３への分岐部には第２振分部材６５が設けられて、該振分部材６４・６５により用紙の搬送方向が振り分けられる。
【００１６】
各搬送経路６１・６２・６３における排出口７１・７２・７３には、それぞれ一対の排出ローラ７４・７５、７６・７７、７８・７９が配置され、各排出口７１・７２・７３からは排出ビン４１・４２・４３が斜上方へ向けて延出されている。排出ビン４１・４２・４３はそれぞれ先端部に、ＬＥＤ等の自照手段が内蔵されたスイッチボタン８１・８２・８３を備え、中途部には、用紙の有無を検出する用紙検出センサ９１・９２・９３を備えている。
【００１７】
図３は前記複合機１の制御構成を示すブロック図であり、複合機１の制御部には、制御手段であるＭＰＵ１１、ＲＯＭ１２、ＲＡＭ１３、画像読取部３、画像記録部４、表示部２０、画像メモリ（ＤＲＡＭ）１４、ＣＯＤＥＣ（符号化・復号器）１５、データ変換部１６、ＭＯＤＥＭ１７、ＮＣＵ（ネットワーク制御回路）１８、通信プロトコル制御部１９、ネットワークインターフェイス３０、排出部４０等が備えられ、前記の各部がバス１０を介して、通信可能に接続されている。
【００１８】
ＭＰＵ１１は、操作部２への入力操作及び制御プログラム等に基づいて、複合機１の各部を制御する制御手段である。ＲＯＭ１２には、複合機１を制御する制御プログラム等が記憶されている。また、ＲＡＭ１３には、複合機１の制御状態等の各種情報が一時的に記憶される。
【００１９】
画像読取部３は、プラテンガラス９上に載置された写真、文書、図面等の原稿を光学的に読み取って、イメージデータである原稿画像を出力する。
【００２０】
画像記録部４は、電子写真方式のプリンタで構成され、前記画像読取部３で出力された原稿画像や、ＭＯＤＥＭ１７を介して受信した受信画像や、通信プロトコル制御部を介して受信した受信画像を、記録紙用紙上に記録（印刷）する。
【００２１】
画像メモリ１４には、前記原稿画像や受信画像等のイメージデータが一時的に記憶される。ＣＯＤＥＣ（符号化・復号器）１５は符号化器として機能し、画像読取部３で読取られた原稿画像を、ＭＨ、ＭＲ、ＭＭＲ方式等により符号化（エンコード）する。また、ＣＯＤＥＣ１５は復号器としても機能し、前記符号化したイメージデータを、復号（デコード）する。データ変換部１６は、ＮＣＵ１８に接続される電話回線Ｌを介して受信したＭＨ、ＭＲ、ＭＭＲ方式等のイメージデータを、ＬＡＮ上における複数のパソコン８Ａ・８Ｂ・８Ｃ・・・にとって、扱い易い形式にするために、ＴＩＦＦ、ＢＭＰ、ＧＩＦ、ＪＰＥＧ、ＰＣＸ、ＤＣＸ等に従ったデータ形式に変換する。
【００２２】
ＭＯＤＥＭ１７は、ＩＴＵ（国際電気通信連合）勧告に従ったファクシミリ伝送制御手順に基づいて、送信データの変調および受信データの復調を行う。ＮＣＵ（ネットワーク制御回路）１８は、電話回線Ｌとの接続を制御するとともに、相手先の電話番号（ファックス番号を含む）に対応したダイアル信号の送出および着信を検出するための機能を備えている。通信プロトコル制御部１９は、ネットワークインターフェース３０を介してＬＡＮ上のパソコンパソコン８Ａ・８Ｂ・８Ｃ・・・との間の通信を制御するためのものである。
【００２３】
ネットワークインターフェース３０はシリアルインターフェースを備え、該シリアルインターフェースは、通信プロトコル制御部１９からＬＡＮケーブル９上へ送出されるデータをパラレルデータからシリアルデータに変換するとともに、ＬＡＮケーブル９上に伝送されるシリアルデータをパラレルデータに変換して通信プロトコル制御部１９へ出力する。
【００２４】
トランシーバ３１はトランシーバケーブル３２（イーサネット（登録商標）規格）の一端に接続され、該トランシーバケーブル３２の他端にはＤ−Ｓｕｂコネクタが接続されている。そして、トランシーバ３１を例えばタップによりＬＡＮケーブル９の途中に接続するとともに、該トランシーバケーブル３２の他端のＤ−Ｓｕｂコネクタを、前記ネットワークインターフェース３０のＤ−Ｓｕｂコネクタに接続することにより、通信プロトコル制御部１９とＬＡＮケーブル９との間でネットワークインターフェース３０を介したデータの伝送が可能となる。
【００２５】
表示部２０は、ＬＣＤ（液晶ディスプレイ）で構成されており、操作部２上に配置されて、複合機１の動作状態等の各種情報が表示される。
【００２６】
排出部４０は、用紙の搬送方向を振り分ける振分部材６４・６５と、最上段の排出ビン４１上の用紙の有無を検出する用紙検出センサ９１と、中段の排出ビン４２上の用紙の有無を検出する用紙検出センサ９２と、最下段の排出ビン４３上の用紙の有無を検出する用紙検出センサ９３と、最上段の排出ビン４１上に用紙が排出されると自照するスイッチボタン８１と、中段の排出ビン４２上に用紙が排出されると自照するスイッチボタン８２と、最下段の排出ビン４３上に用紙が排出されると自照するスイッチボタン８３とを備え、該スイッチボタン８１・８２・８３が押されると、表示部２０に、印刷元のパソコン８Ａ・８Ｂ・８Ｃ・・・のホスト名とパソコン名とが表示される。
【００２７】
次に、図５を参照しながら、パソコン８Ａ・８Ｂ・８Ｃ・・・上のデータが複合機１でプリントアウトされて、排出ビン４１、４２又は４３上に振り分けられるまでの流れを説明する。
【００２８】
まず、ユーザーがパソコン（例えば８Ａ）で印刷ジョブを実行すると（ステップＳ１）、複合機１へデータが出力される（ステップＳ２）。該データには印刷データとともにＰＪＬ（プリント・ジョブ・ランゲージ）データが付随しており、ＬＡＮケーブル９を介してパケット送信される。印刷データ及びＰＪＬデータは複合機１のネットワークインターフェイス３０を介して通信プロトコル制御部１９で受信され、該ＰＪＬデータから印刷元のパソコン８Ａのホスト名とＰＣ名とが取得される（ステップＳ３）。そして、ＭＰＵ１１では、現在用紙を検出していない、ＯＦＦの用紙検出センサ９１・９２・９３が検索されて、空いている排出ビン４１・４２・４３が探し出される。
【００２９】
ここで、便宜的に、以下の記号＊には１、２又は３の何れか共通の数字が入るものとして、このとき、用紙検出センサ９＊（９１、９２又は９３）がＯＦＦで、空きの排出ビン４＊（４１、４２又は４３）があれば（ステップＳ４）、該空きの排出ビン４＊（４１、４２又は４３）への排出指令が作成されて、用紙を排出口７＊（７１、７２又は７３）へ案内するように振分部材６４・６５が切り換わり（ステップＳ５）、給紙部５から用紙が取り込まれて画像記録部４で印刷処理が行われる。印刷された用紙は、定着ユニット４５で定着された後、第１振分部材６４、又は第１振分部材６４及び第２振分部材６５の双方に案内されて搬送経路６＊（６１、６２又は６３）を経て、排出口７＊（７１、７２又は７３）から空きの排出ビン４＊（４１、４２又は４３）へと排出され（ステップＳ６）、前記ＯＦＦの用紙検出センサ９＊（９１、９２又は９３）がＯＮに切り換わって、スイッチボタン８＊（８１、８２又は８３）が点滅し、用紙の排出先がユーザーに視覚的に報知される。
【００３０】
なお、前記ステップＳ６で最新の用紙が排出される以前から、用紙が排出されたままの排出ビン４１、４２又は４３があり、該排出ビン４１、４２又は４３上のスイッチボタン８１、８２又は８３が点滅していれば、該スイッチボタン８１、８２又は８３については点灯状態に切り換わり、最新の用紙が排出された排出ビン４＊（４１、４２又は４３）のスイッチボタン８＊（８１、８２又は８３）だけが点滅するように制御して、該最新の用紙の排出先の排出ビン４＊（４１、４２又は４３）のスイッチボタン８＊（８１、８２又は８３）を視覚的に容易に識別できるようにしてもよい。
【００３１】
このように排出ビン４＊（４１、４２又は４３）が指定されて、プリントアウトされ、全ページの印刷が完了すると（ステップＳ７）、ＲＡＭ１３では、該排出ビン４＊（４１、４２又は４３）に対応させて、最新の印刷元のパソコン８Ａのホスト名とＰＣ名とが記憶され、各排出ビン４１・４２・４３に対応する、ホスト名とＰＣ名とが更新される（ステップＳ８）。
【００３２】
一方、前記ステップＳ４で、ＯＦＦの用紙検出センサ９１・９２・９３がなく、空きの排出ビン４１・４２・４３がない場合は、予め初期設定された規則に従って、何れか一つの排出ビン４１、４２又は４３に排出指令が出力される。この規則は、例えば、用紙の堆積高さが規制されない、最上段の排出ビン４１に排出するように設定されている。あるいは、排出ビン４１・４２・４３間に優先順位を定めて、まず、最上段の排出ビン４１に用紙を排出し、次の印刷ジョブでは中段の排出ビン４２に排出するように、上段から順番に振り分けるように設定するなどとしてもよく、前記規則については特に限定はしない。
【００３３】
このように、予め設定された規則に従って、例えば、最上段の排出ビン４１に排出指令が出力されるとする。これにより用紙を第１排出口７１へ案内するように振分部材６４・６５が切り換わり（ステップＳ９）、給紙部５から用紙が取り込まれて画像記録部４で印刷処理が行われる。印刷された用紙は、定着ユニット４５で定着された後、第１振分部材６４により第１搬送経路６１に案内されて、排出口７１から最上段の排出ビン４１へと排出される（ステップＳ１０）。
【００３４】
なお、このときは、どの排出ビン４１・４２・４３上にも既に用紙が堆積していることから、用紙検出センサ９１・９２・９３はＯＮとなって、全てのスイッチボタン８１・８２・８３は既に自照しており、前記ステップＳ１０で最新の用紙が排出される以前から、点滅しているスイッチボタン８１、８２又は８３については点灯状態に切り換わり、最新の用紙が排出された排出ビン４１のスイッチボタン８１だけが点滅するように制御して、該最新の用紙の排出先の排出ビン４１のスイッチボタン８１を視覚的に容易に識別できるようにしてもよい。
【００３５】
このように排出ビン４１が指定されて、該排出ビン４１上に堆積している用紙の上にプリントアウトされ、全ページの印刷が完了すると（ステップＳ１１）、ＲＡＭ１３では、該排出ビン４１に対応させて、最新の印刷元のパソコン８Ａのホスト名とＰＣ名とが記憶され、各排出ビン４１・４２・４３に対応する、ホスト名とＰＣ名とが更新される（ステップＳ８）。
【００３６】
以上のような流れで、パソコン８Ａ・８Ｂ・８Ｃ・・・からのデータは複合機１へ出力されて、用紙に印刷された後、排出ビン４１、４２又は４３に振り分けられて排出される。
このとき、スイッチボタン８＊（８１、８２又は８３）が自照していることから、ユーザーはわざわざ排出ビン４１・４２・４３の間を覗き込まなくとも、どの排出ビン４＊（４１、４２又は４３）に用紙が堆積されているかが容易にわかり、その後、以下の操作によって、該排出ビン４＊（４１、４２又は４３）上の用紙の印刷元のパソコン８Ａ、又は８Ｂ、８Ｃ・・・が特定される。
【００３７】
次に、図６を参照しながら、排出ビン４１・４２・４３上に排出された用紙の印刷元のパソコン８Ａ、又は８Ｂ、８Ｃ・・・が特定されるまでの流れを説明する。ここでも、便宜的に、以下の記号＊には１、２又は３の何れか共通の数字が入るものとして、まず、ユーザーは複合機１のもとへ行き、排出ビン４＊（４１、４２又は４３）上のスイッチボタン８＊（８１、８２又は８３）を押す（ステップＴ１）。この押されたスイッチボタン８＊（８１、８２又は８３）が、該排出ビン４＊（４１、４２又は４３）上に用紙が堆積されて、自照しているものであれば（ステップＴ２）、ＲＡＭ１３に記憶していた、該用紙の印刷元のパソコン８Ａ、又は８Ｂ、８Ｃ・・・のホスト名とＰＣ名とが、操作部２の表示部２０に呼び出されて表示される（ステップＴ３）。
一方、押されたスイッチボタン８＊（８１、８２又は８３）が、該排出ビン４＊（４１、４２又は４３）上に用紙がなく、消灯しているものであれば（ステップＴ２）、操作部２の表示部２０には何も呼び出されない。
【００３８】
以上のように、印刷物が堆積されている排出ビン４＊（４１、４２又は４３）のスイッチボタン８＊（８１、８２又は８３）を操作することで、表示部２０に印刷元のパソコン８Ａ、又は８Ｂ、８Ｃ・・・を特定する情報（ホスト名とＰＣ名）が表示されて、該排出ビン４＊（４１、４２又は４３）上に堆積されている用紙の印刷元が容易にわかり、操作性が良くなる。さらに、この表示部２０は操作部２上に設けられているため、ユーザーは複合機１の前に立ち、目線を下方に向けるだけで、容易に表示内容を確認することができる。
【００３９】
また、図７に示すように、ここでも、便宜的に、以下の記号＊には１、２又は３の何れか共通の数字が入るものとして、排出ビン４＊（４１、４２又は４３）上に堆積されている用紙が全て取り去られると（ステップＵ１）、該排出ビン４＊（４１、４２又は４３）上の用紙検出センサ９＊（９１、９２又は９３）がＯＦＦとなって（ステップＵ２）、自照していたスイッチボタン８＊（８１、８２又は８３）が消灯し（ステップＵ３）、ＲＡＭ１３では該排出ビン４＊（４１、４２又は４３）に対応させて記憶していた、印刷元のパソコン８Ａ、又は８Ｂ、８Ｃ・・・のホスト名とＰＣ名とが自動的に削除される（ステップＵ４）。
【００４０】
【発明の効果】
本発明は、以上のように構成したので、次に示すような効果を奏する。
まず、請求項１のように、複数段の排出ビンを備えた記録装置と、複数の端末装置とを通信接続し、該端末装置での印刷ジョブの実行により、該記録装置で印刷が行われて、その印刷物が排出ビン上に排出されるネットワークプリンタにおいて、前記排出ビンにスイッチを設けるとともに、前記記録装置本体に表示部を設け、印刷物が堆積されている排出ビンのスイッチを操作することにより、該表示部に印刷元の端末装置を特定する情報が表示されることで、該排出ビン上に堆積されている印刷物の印刷元が容易にわかり、操作性が向上する。
【００４１】
また、請求項２のように、前記スイッチに自照手段を設けるとともに、前記排出ビンに印刷物の有無を検出するセンサを設け、該センサで該排出ビン上の印刷物の存在を検出することにより、該スイッチを自照させることで、ユーザーは印刷物が堆積されている排出ビンを容易に把握することができ、その後、該自照したスイッチを操作することにより、表示部に印刷元の端末装置を特定する情報が表示され、該排出ビン上に堆積されている印刷物の印刷元が容易にわかって、操作性が向上する。
【図面の簡単な説明】
【図１】複合機１と、複数のパソコン８Ａ・８Ｂ・８Ｃ・・・とを通信接続したローカルエリアネットワークシステムの構成図
【図２】複合機１の平面図。
【図３】画像記録部４の排出部４０の構成を示す側面断面図。
【図４】複合機１の制御構成を示すブロック図。
【図５】パソコン８Ａ・８Ｂ・８Ｃ・・・上のデータが複合機１でプリントアウトされて、排出ビン４１、４２又は４３上に振り分けられるまでの流れを説明するフローチャート。
【図６】排出ビン４１・４２・４３上に排出された用紙の印刷元のパソコン８Ａ、又は８Ｂ、８Ｃ・・・が特定されるまでの流れを説明するフローチャート。
【図７】ＲＡＭ１３で記憶していた、印刷元のパソコン８Ａ、又は８Ｂ、８Ｃ・・・のホスト名とＰＣ名とが削除されるまでの流れを説明するフローチャート。
【符号の説明】
１　　複合機
２　　操作部
４　　画像記録部
８Ａ・８Ｂ・８Ｃ　パソコン
１１　　ＭＰＵ
１３　　ＲＡＭ
２０　　表示部
４１・４２・４３　排出ビン
８１・８２・８３　スイッチボタン
９１・９２・９３　用紙検出センサ
【図１】
2004009505.tif 000003
【図２】
2004009505.tif 000004
【図３】
2004009505.tif 000005
【図４】
2004009505.tif 000006
【図５】
2004009505.tif 000007
【図６】
2004009505.tif 000008
【図７】
2004009505.tif 000009